(57)【要約】      （修正有）【課題】志望企業に対する自己のアピールポイントを適切に引き出して、就職活動を円滑に進めるのに役立つ就活ノートを提供する。【解決手段】自己を知るために用いられる第１領域Ｃ１と、この第１領域Ｃ１に並設され業界及び企業を知るために用いられる第２領域Ｄ１と、これら第１、第２領域Ｃ１、Ｄ１のコンテンツを利用して抽出された情報に基づいて志望企業に対する自己のアピールポイントをまとめるために用いられる第３領域Ｅ１とを具備してなる。【選択図】図３
2014151489.tif 000002
【特許請求の範囲】
【請求項１】
自己を知るために用いられる第１領域と、この第１領域に並設され業界及び企業を知るために用いられる第２領域と、これら第１、第２領域のコンテンツを利用して抽出された情報に基づいて志望企業に対する自己のアピールポイントをまとめるために用いられる第３領域とを具備してなることを特徴とする就活戦略ノート。
【請求項２】
前記第１領域が、少なくとも自己の強みを顕在化させるための自己分析用ページと、この自己分析用ページを用いて抽出される情報に関連させて第三者から自己に対する客観的な評価を受けるための切り離し可能な他己分析用ページと、この他己分析用ページ及び前記自己分析用ページを用いて得られた結果を整理するためのまとめ用ページとを備えたものである請求項１記載の就活戦略ノート。
【請求項３】
前記第２領域が、業界及び企業を知るための研究テーマとして業界研究、職種研究及び企業研究を提示する研究テーマ教示用ページと、就きたい業界を具体的にイメージできるようにするための業界研究用ページと、この業界研究用ページに関連して選び出した企業における現実の働き方を理解するための企業研究用ページとを備えたものである請求項１または２記載の就活戦略ノート。
【請求項４】
前記第３領域が、前記業界研究及び前記企業研究に基づいて選びだした志望企業を明示するための欄と、その志望企業で必要とされるのはどのような人材かを勘案しつつ自己のアピールポイントを記載する欄とを備えたアピールポイントまとめ用ページを備えたものである請求項３記載の就活戦略ノート。
【請求項５】
前記第１領域、前記第２領域及び前記第３領域に加え、就職活動全体を俯瞰した戦略スケジュールを立てるために用いられる第４領域を備えており、
前記第４領域が、前記自己分析、前記他己分析、前記業界研究、及び前記企業研究を含む複数の就職活動項目をどの時期に行うのかを記入するための時系列形式のスケジュール表を印刷したページを備えたものである請求項１、２、３または４記載の就活戦略ノート。
【発明の詳細な説明】
【技術分野】
【０００１】
本発明は、就職活動を戦略的に進めるために用いられるノートに関するものである。
【背景技術】
【０００２】
従来から、就職活動（以下、「就活」と呼ぶ。）を行うにあたって、自己分析を行うための自己分析シートや、他人から評価してもらって自己を知るために用いられる他己分析シート等が種々知られている（例えば、非特許文献１を参照）。一方で、就職を希望する業界を知るために用いられる業界研究用の書籍や、各企業を知るために用いられる企業研究用の書籍も多数出版されている。
【０００３】
ところが、就職活動を行う学生（以下、「就活生」と呼ぶ。）にとっては、多数の種類が存在する自己分析シート等や業界研究用の書籍等をどのように選択して、就職活動にどのように利用したらよいかはわからなかった。そのため、希望する企業に対して自己アピールを十分に行えていない場合が数多くあった。
【先行技術文献】
【非特許文献】
【０００４】
【非特許文献１】"自分を活かす履歴書セット"，コクヨ総合カタログ２０１３年版ステーショナリー編，コクヨ株式会社，平成２４年１２月，ｐ．７４６
【発明の概要】
【発明が解決しようとする課題】
【０００５】
本発明は、志望企業に対する自己のアピールポイントを適切に引き出して、就職活動を円滑に進めるのに役立つ就活戦略ノートを提供することを目的としている。
【課題を解決するための手段】
【０００６】
本発明は、以上のような課題を解決するために、次のような構成を採用したものである。すなわち、本発明に係る就活戦略ノートは、自己を知るために用いられる第１領域と、この第１領域に並設され業界及び企業を知るために用いられる第２領域と、これら第１、第２領域のコンテンツを利用して抽出された情報に基づいて志望企業に対する自己のアピールポイントをまとめるために用いられる第３領域とを具備してなることを特徴とする。
【０００７】
ここで、「ノート」とは、例えば、無線とじ、糸とじ等の方式により複数の中紙が背に綴じられて製本されているものだけでなく、バインダ方式により複数の中紙が着脱可能に背に綴じられたものも含まれる。
【０００８】
このようなものであれば、就職活動を始めるにあたって必要な情報、具体的には、自己を知るための情報と、業界や企業を知るための情報とを１冊の当該就活ノートに集約させることができ、これら集約された情報を用いて志望企業に対する自己のアピールポイントを適切に引き出すことができるとともに、前記アピールポイントも当該就活戦略ノートにまとめておくことができる。そのため、就職活動を始める就活生が、どのような情報を集めたらよいか、それらの情報をどのように用いたらよいかを知ることができ、就職活動を円滑に進めるのに役立てることができる。
【０００９】
前記第１領域の好適な一例としては、少なくとも自己の強みを顕在化させるための自己分析用ページと、この自己分析用ページを用いて抽出される情報に関連させて第三者から自己に対する客観的な評価を受けるための切り離し可能な他己分析用ページと、この他己分析用ページ及び前記自己分析用ページを用いて得られた結果を整理するためのまとめ用ページとを備えたものが挙げられる。
【００１０】
前記第２領域の好適な一例としては、業界及び企業を知るための研究テーマとして業界研究、職種研究及び企業研究を提示する研究テーマ教示用ページと、就きたい業界を具体的にイメージできるようにするための業界研究用ページと、この業界研究用ページに関連して選び出した企業における現実の働き方を理解するための企業研究用ページとを備えたものが挙げられる。
【００１１】
前記第３領域の好適な一例としては、前記業界研究及び前記企業研究に基づいて選びだした志望企業を明示するための欄と、その志望企業で必要とされるのはどのような人材かを勘案しつつ自己のアピールポイントを記載する欄とを備えたアピールポイントまとめ用ページを備えたものが挙げられる。
【００１２】
前記第１領域、前記第２領域及び前記第３領域に加え、就職活動全体を俯瞰した戦略スケジュールを立てるために用いられる第４領域を備えたものの場合、前記第４領域が、前記自己分析、前記他己分析、前記業界研究、及び前記企業研究を含む複数の就職活動項目をどの時期に行うのかを記入するための時系列形式のスケジュール表を印刷したページを備えたものが好ましい。
【発明の効果】
【００１３】
本発明は、以上のような構成であるから、志望企業に対する自己のアピールポイントを適切に引き出して、就職活動を円滑に進めるのに役立つ就活戦略ノートを提供することができる。
【図面の簡単な説明】
【００１４】
【図１】本発明の一実施形態にかかる就活戦略ノートの表紙を示す図。
【図２】同実施形態の就活戦略ノートを示す概略図。
【図３】同実施形態の就活戦略ノートの全ページをサムネール表示した概略図。
【図４】同実施形態の就活戦略ノートの１ページ（前置領域）を示す図。
【図５】同実施形態の就活戦略ノートの２、３ページ（第１領域）を示す図。
【図６】同実施形態の就活戦略ノートの８、９ページ（第１領域）を示す図。
【図７】同実施形態の就活戦略ノートの８１ページ（第１領域）を示す図。
【図８】同実施形態の就活戦略ノートの８２ページ（第１領域）を示す図。
【図９】同実施形態の就活戦略ノートの１６、１７ページ（第１領域）を示す図。
【図１０】同実施形態の就活戦略ノートの１４、１５ページ（第１領域）を示す図。
【図１１】同実施形態の就活戦略ノートの１８、１９ページ（第２領域）を示す図。
【図１２】同実施形態の就活戦略ノートの２０、２１ページ（第２領域）を示す図。
【図１３】同実施形態の就活戦略ノートの２６、２７ページ（第２領域）を示す図。
【図１４】同実施形態の就活戦略ノートの６６、６７ページ（第３領域）を示す図。
【図１５】同実施形態の就活戦略ノートの７８、７９ページ（その他の領域）を示す図。
【発明を実施するための形態】
【００１５】
以下、本発明の一実施形態を、図面を参照して説明する。
【００１６】
本実施形態の就活戦略ノートＮは、例えば、図１に示すような図柄を表面Ａ１に備えた厚紙製の前扉Ａ３と、同じく厚紙製の後扉Ａ５との間に複数枚の中紙Ａ７を綴じてなる無線とじ方式のもので、前記前扉Ａ３、後扉Ａ５の各内面Ａ９、Ａ１１及び前記各中紙Ａ７の両面Ａ１３にそれぞれページが形成されている。
【００１７】
前記各ページは、図３に示すように、前置領域Ｂ１と、自己を知るために用いられる第１領域Ｃ１と、この第１領域Ｃ１に並設され業界及び企業を知るために用いられる第２領域Ｄ１と、これら第１、第２領域Ｃ１、Ｄ１のコンテンツを利用して抽出された情報に基づいて志望企業に対する自己のアピールポイントをまとめるために用いられる第３領域Ｅ１と、就職活動全体を俯瞰した戦略スケジュールを立てるために用いられる第４領域Ｆ１と、その他の領域Ｇ１とのいずれかに属している。なお、図３は、このノートＮの全てのページをサムネール表示したもので、横長長方形の各枠Ｈは、それぞれ見開き２ページ分に対応しており、各枠Ｈの上辺に付された微少な数字は、ページ番号を示している。
【００１８】
前記前置領域Ｂ１は、例えば、タイトルと目次を掲載した先頭ページ（図３における１ページ）と、この就活戦略ノートＮでできることを記述した仕様説明ページ（図３における２，３ページ）と、就職活動の意義やこの就活戦略ノートＮの記述に関する説明などを記載した前文ページ（図３における４，５ページ）とを具備している。
【００１９】
前記先頭ページ（１ページ）は、図４に示すように、左側上部に「就活戦略ノート」というタイトルＢ９が印刷されているとともに、右端に例えば、第１〜第９のタグＴ１、Ｔ２、Ｔ３…が上下方向に微少な間隔をあけて記載されており、各タグＴ１、Ｔ２、Ｔ３…の左側に目次を兼ねたタグの説明欄Ｂ１１が形成されている。第１のタグＴ１には、「就活戦略ノートについて」という文字が印字されている。第２のタグＴ２には、「自己を知る」という文字が印字されている。第３のタグＴ３には、「業界を知る」という文字が印字されている。第４のタグＴ４には、「企業を知る」という文字が印字されている。第５のタグＴ５には、「アピールポイント」という文字が印字されている。第６のタグには、「スケジュール」という文字が印字されている。第７のタグには、「ＩＤ・ＰＷ控え」という文字が印字されている。第８のタグＴ８には、「スマートフォンでの活用方法」という文字が印字されている。第９のタグには、「コトバ」という文字が印字されている。これらの第１のタグ〜第９のタグＴ１、Ｔ２、Ｔ３…を上下方向に配列されたタググループＴ１０は、後述する他己分析用ページ（８１〜９６ページ）を除き全ての奇数ページの反綴じ元Ａ１５側の端部に施されている。
【００２０】
前記仕様説明ページ（２、３ページ）は、図５に示すように、この就活戦略ノートＮを使ってどのように就活を進めていくべきかを説明するためのものであって、２ページの上段には、この就活戦略ノートＮでできることを簡潔に記述した説明欄Ｂ３が形成されているとともに、３ページの上段には、各ページの内容を紹介するためのページ紹介欄Ｂ５が配されている。２ページの下段及び３ページの下段にわたる領域には、就活の大まかな流れと対策ポイントを表形式で表したポイント教示欄Ｂ７を備えている。また、３ページの反綴じ元Ａ１５側に施されたタググループＴ１０のうち第１のタグＴ１は、他のタグＴ２、Ｔ３…と色を異ならせて表示されている。
【００２１】
前記前文ページ（４、５ページ）は、就職活動に際して自己分析や他己分析をどのように進めていくべきかを説明するためのものであって、４ページの上段には、就職活動の意義とこのノートＮの使い方について先輩社会人からのアドバイス形式で記述された説明欄が形成されているとともに、４ページの下段には、自己分析の意義やこの就活戦略ノートのどのページで自己分析を行えるかが記述された自己分析説明欄と、経済産業省が提唱する社会人基礎力の説明やこの就活戦略ノートＮのどのページで社会人基礎力の診断が行えるかが記述された社会人基礎力説明欄とが形成されている。５ページには、他己分析の意義やこの就活戦略ノートＮのどのページで他己分析を行えるかが記述された他己分析説明欄が形成されており、５ページの中段において他己分析をお願いするとよい第三者の選び方の例が、場面別にキャラクターとともに表示されている。５ページの下段には、他己分析用ページ（８１〜９６ページ）の使い方が記載された他己分析シート説明欄が形成されており、他己分析をお願いする前に就活生自身が記載する部分が明示されている。
【００２２】
前記第１領域Ｃ１は、少なくとも自己の強みを顕在化させるための自己分析用ページ（図３における６〜１３ページ）と、この自己分析用ページを用いて抽出される情報に関連させて第三者から自己に対する客観的な評価を受けるための切り離し可能な他己分析用ページ（図３における８１〜９６ページ）と、この他己分析用ページ及び前記自己分析用ページを用いて得られた結果を整理するためのまとめ用ページ（図３における１６、１７、８０ページ）と、このまとめ用ページ（１６、１７、８０ページ）をどのように用いるかを示した分析方法教示用ページ（図３における１４、１５ページ）を具備している。
【００２３】
前記自己分析用ページ（６〜１３ページ）は、この就活戦略ノートＮに示された手順に沿って自己分析を行うための書き込み可能なもので、６ページの上段から７ページの上段にわたる領域には、生まれてから現在までの成長過程を把握するための自分史を作成する意義が記述された自分史説明欄が形成されている。６ページの左側中段から左側下段にわたる領域には、上下方向に連続的に記述された年齢・年代に対応させて書き込み可能な「西暦」と、その年齢・年代にどのような出来事があったかを記述可能な「出来事」とを年表形式で一覧表示する自分史年表作成欄が形成されている。６ページの右側中段から７ページの中段にわたる領域には、左右方向に伸びる自分史グラフの記載例を示す自分史グラフ例示欄が形成されている。前記自分史グラフは、前記自分史年表欄で書き出した出来事がいつ起こったのかと、そのときの感情の高低の度合いとをグラフに表示するものである。６ページの右側下段から７ページの下段にわたる領域には、左右方向に伸びる自分史グラフを実際に書き込み可能な自分史グラフ作成欄が形成されている。図６に示すように、８ページの上段には、前記自分史グラフに書き込んだ出来事について具体的に掘り下げた自己分析を行う意義が記述された自己分析説明欄が形成されている。８、９ページの中段以降の領域には、具体的な自己分析を行うために、「いつからいつまで？」、「どこで？」、「なにを？」、「どのようにした？」、「それはなぜ？」、「そこから何を得た？」、「得たものを、今後どのように使っていきたい？」という複数の質問Ｃ３に対応して自分がこれまでにしてきたことを書き込み可能な具体的自己分析欄Ｃ５が形成されている。この具体的自己分析欄Ｃ５は、一の出来事に対して８ページから９ページにわたって横一列に書き込むもので、上下方向に７つの出来事について記述できるようになっている。なお、具体的自己分析欄Ｃ５にどのように記載したらよいかは、上述した「いつからいつまで？」等の質問が記載された質問記述部Ｃ７に付記してある具体的な記載例Ｃ９を参照すればよい。なお、９ページの反綴じ元Ａ１５側に施されたタググループＴ１０のうち第２のタグＴ２は、他のタグＴ１、Ｔ３…と色を異ならせて表示されている。１０、１１ページの上段から中段にわたる領域には、前記具体的自己分析欄が形成されており、上下方向に７つの出来事について記述できるようになっている。１０ページの下段には、尊敬する人等に対するイメージを記載するためのイメージ記述欄が形成されている。１１ページの下段には、将来の夢や達成したいことを記載するための目標記述欄が形成されている。１２、１３ページの上段から中段にわたる領域には、前記具体的自己分析欄が形成されており、上下方向に７つの出来事について記述できるようになっている。１２ページの下段には、仕事に限らない大きな将来像を記載するための将来像記述欄が形成されている。１３ページの下段には、仕事に求めることやどのような働き方をしたいか等を記載するための働き方記述欄が形成されている。すなわち、見開き２ページで７つの出来事に対する分析結果を一覧することができ、ノート全体で最大２１の出来事に対する分析結果をまとめることができる。
【００２４】
前記他己分析用ページ（８１〜９６ページ）は、第三者から自己に対する客観的な評価を受けるための切り離し可能なもので、切り離した際に他己分析用シートの表面となる奇数ページと裏面となる偶数ページとの２ページで１セットとなったものが、全部で８セット（８名分）設けられている。以下、他己分析用ページ（８１〜９６ページ）の最初の１セット（８１、８２ページ）について説明するが、他の７セット（８３、８４ページ、８５、８６ページ、８７、８８ページ、８９、９０ページ、９１、９２ページ、９３、９４ページ、９５、９６ページ）については最初の１セットと同様であるため説明を省略する。なお、本実施形態の他己分析用ページ（８１〜９６ページ）のページ数及び８名分という分量は、学生である「就活生自身をよく知る社会人」の人数を想定して設定してある。図７に示すように、８１ページの上段には、他己分析を行う趣旨についての説明欄Ｃ１５が形成されており、この説明欄Ｃ１５の左側上部には、他己分析の記述をお願いする相手の名前を記載する名前記入部分Ｃ１７が設けられているとともに、前記説明欄Ｃ１５の右側下部には、他己分析してもらう就活生の名前を記載する自署記入部分Ｃ１９が設けられている。８１ページの中段には、就活生の第一印象や特徴について記入する印象記載欄Ｃ２１が設けられており、この印象記載欄Ｃ２１の左側下部には、記入する際に参考となる具体例Ｃ２３が記載されている。８１ページの下段には、仕事で強みにできること、活かせること等を含めた就活生の長所を記入する長所記載欄Ｃ２５が設けられている。この長所記載欄Ｃ２５の上部には、就活生の長所を就活生自身で記入するための自己記入部分Ｃ２７が設けられているとともに、前記長所記載欄Ｃ２５の下部には、就活生の他己分析をお願いする相手が就活生の長所を記入するための他己記入部分Ｃ２９が設けられている。図８に示すように、８２ページの上段には、改善すべきこと等を含めた就活生の短所を記入する短所記載欄Ｃ３１が設けられている。この短所記載欄Ｃ３１の上部には、就活生の短所を就活生自身で記入するための自己記入部分Ｃ３３が設けられているとともに、前記短所記載欄Ｃ３１の下部には、就活生の他己分析をお願いする相手が就活生の短所を記入するための他己記入部分Ｃ３５が設けられている。８２ページの中段には、他己分析に協力してもらったことへのお礼文が記載されたお礼文表示欄Ｃ３７が形成されている。８２ページの下段には、社会人として既に働いている人（他己分析をお願いする相手）の仕事に対する考え方を質問形式で記入するための記入欄Ｃ３９が設けられている。この記入欄Ｃ３９には、例えば、「ご自身がお仕事をされる中での「喜び」や「やりがい」とは、どのようなことでしょうか？」や、「ご自身がお仕事をされる中での「大変さ」とは、どのようなことでしょうか？」や、「大変な中でもがんばれる理由や、大切にしていらっしゃることとは、どのようなことでしょうか？」といった質問部分Ｃ４１と、この質問部分Ｃ４１に対して回答を記入する回答記入部分Ｃ４３とが交互に形成されている。なお、８１ページの綴じ元Ａ１７側及び８２ページの綴じ元Ａ１７側には、切り離し用のミシン目Ｃ４５が設けられている。
【００２５】
前記まとめ用ページ（１６、１７、８０ページ）は、前記自己分析用ページ（６〜１３ページ）及び前記他己分析用ページ（８１〜９６ページ）を用いて得られた結果を整理するための書き込み可能なものである。図９に示すように、１６ページには、「社会人基礎力」の自己診断やその分析を行う各欄Ｃ５９、Ｃ６５、Ｃ６７を備えており、具体的には、１６ページの上段には、社会人基礎力を後述する各項目Ｃ７５、Ｃ７７についてグラフ化するためのグラフ表示欄Ｃ５９が形成されており、このグラフ表示欄Ｃ５９の左側には記入例や記入方法の説明書部分Ｃ６１が設けられているとともに、前記グラフ表示欄Ｃ５９の右側には実際に就活生が記入するためのグラフＣ６３が設けられている。１６ページの下段には、前記グラフ表示欄Ｃ５９に記入したグラフＣ６３の表示結果を参照して項目Ｃ７５、Ｃ７７の中で、「自己アピールできる力は？  なぜ、そのように診断した？」かをまとめる第１のまとめ記載欄Ｃ６５と、「これから伸ばしたい力と具体的計画は？」何であるかをまとめる第２のまとめ記載欄Ｃ６７とを備えている。図９に示すように、１７ページには、自分の「強み」「弱み」と、これから仕事をしていく上で大切にしたいことを抽出する各欄Ｃ４９、Ｃ５３、Ｃ５５、Ｃ５７を備えており、具体的には、１７ページの上段には、自己分析用ページ（６〜１３ページ）と他己分析用ページ（８１〜９６ページ）及び「社会人基礎力」に関するまとめ用ページ（１６ページ）を用いて当該総括的なまとめ用ページ（１７ページ）をどのように利用したらよいかの説明が記載されている説明欄Ｃ４７が形成されている。１７ページの中段には、自己分析及び他己分析で自覚した自分の「強み」と「弱み」をまとめる第３のまとめ記載欄Ｃ４９が形成されている。この第３のまとめ記載欄Ｃ４９の右側上部には、当該まとめ記載欄Ｃ４９に記入するのに役立つポイントＣ５１が記載されている。１７ページの下段には上からそれぞれ、主に自己分析で自覚した「得意なこと、やりたいこと」をまとめる第４のまとめ記載欄Ｃ５３と、主に自己分析で自覚した「これまでがんばったこと、これだけはいつまでもがんばり続けたいこと」をまとめる第５のまとめ記載欄Ｃ５５と、主に自己分析で自覚した「大切にしていること、これからも大切にしたいこと・仕事に活かしたいこと」をまとめる第６のまとめ記載欄Ｃ５７とが形成されている。このように、後述する第３領域Ｅ１でアピールポイントをまとめる際に活用できる自己に関するまとめを、見開き２ページにわたって一覧することができるようになっている。また、１７ページの反綴じ元Ａ１５側に施されたタググループＴ１０のうち第２のタグＴ２は、他のタグＴ１、Ｔ３…と色を異ならせて表示されている。８０ページには、心に響いた言葉をまとめるためのフリースペースが形成されており、具体的には、８０ページの上段には、このフリースペースをどのように利用したらよいかを説明した説明欄が形成されているとともに、８０ページの中段から下段にわたる領域に、ＯＢ・ＯＧ訪問で聞いたり、前記他己分析用ページに記入してもらったりした内容の中から、指針になる言葉や大切にしたい言葉等を自由にまとめることができるための第７のまと���記載欄が形成されている。
【００２６】
前記分析方法教示用ページ（１４、１５ページ）は、前記まとめ用ページ（１６、１７、８０ページ）のうち１６ページで分析する社会人基礎力について説明するためのもので、図１０に示すように、１４ページの上段には、自分の「強み」や「弱み」を把握するために参考となる「社会人基礎力」の考え方や意義を記載した社会人基礎力説明欄Ｃ７１が形成されており、１４ページの下段には、社会人基礎力の中で提唱されている３つの能力と１２の能力要素について簡潔にまとめられた能力・能力要素説明欄Ｃ７３が形成されている。この能力・能力要素説明欄Ｃ７３について詳述すれば、当該説明欄Ｃ７３の左側には、「前に踏み出す力（アクション）」という能力項目Ｃ７５に対応して「主体性」、「働きかけ力」、「実行力」という能力要素項目Ｃ７７が挙げられており、当該説明欄Ｃ７３の中央部には、「考え抜く力（シンキング）」という能力項目Ｃ７５に対応して「課題発見力」、「計画力」、「創造力」という能力要素項目Ｃ７７が挙げられており、当該説明欄Ｃ７３の右側には、「チームワークで働く力（チームワーク）」という能力項目Ｃ７５に対応して「発信力」、「傾聴力」、「柔軟性」、「状況把握力」、「規律性」、「ストレスコントロール力」という能力要素項目Ｃ７７が挙げられている。各能力項目Ｃ７５や能力要素項目Ｃ７７に簡潔な説明Ｃ７９が付記されている。図１０に示すように、１５ページの上段には、社会人基礎力をどのように診断したらよいかの目安が記載された診断目安説明欄Ｃ８１と、前記グラフＣ６３を付ける際の大まかな目安を表形式で示した欄Ｃ８３とが形成されており、１５ページの中段から下段にわたる領域には、前記３つの能力項目Ｃ７５と１２の能力要素項目Ｃ７７に対応させた学生のレベル別の行動事例を表形式で示した行動事例教示欄Ｃ８５が形成されている。また、１５ページの反綴じ元Ａ１５側に施されたタググループＴ１０のうち第２のタグＴ２は、他のタグＴ１、Ｔ３…と色を異ならせて表示されている。
【００２７】
前記第２領域Ｄ１は、業界及び企業を知るための研究テーマとして業界研究、職種研究及び企業研究を提示する研究テーマ教示用ページ（図３における１８、１９ページ）と、就きたい業界を具体的にイメージできるようにするための業界研究用ページ（図３における２０〜２５ページ）と、この業界研究用ページ（２０〜２５ページ）に関連して選び出した企業における現実の働き方を理解するための企業研究用ページ（図３における２６〜６５ページ）とを備えている。
【００２８】
前記研究テーマ教示用ページ（１８、１９ページ）は、図１１に示すように、業界研究、職種研究及び企業研究という３つの研究テーマについてどのように進めていくべきかを教示するためのもので、１８ページの上段には、前記３つの研究テーマについての簡単な説明が記載されている説明欄Ｄ３が形成されており、１８ページの下段には、就活生にまず業界研究をするように勧める業界研究教示欄Ｄ５が形成されている。この業界研究教示欄Ｄ５には、上部に統計的な企業数等が記載された導入部分Ｄ７が設けられており、下部に業界の一例として、製造業、流通、金融、情報、サービスに関係する各業界が列挙されたリストアップ部分Ｄ９が設けられている。１９ページの上段には、ＢｔｏＢの企業間取引や、ＢｔｏＣの企業対消費者間取引の一例が視覚的に理解しやすいようにまとめられた取引形態例示欄Ｄ１１が形成されている。１９ページの中段には、業界研究を行った後、就活生に職種研究をするように勧める職種研究教示欄Ｄ１３が形成されている。この職種研究教示欄Ｄ１３では、どんな役割（部門）の仕事に就きたいかを具体的にイメージできるように、例えば、製品を開発する仕事、製品の原材料や部品を調達する仕事、工場で生産する仕事、製品を売る仕事、製品を宣伝する仕事、業務がスムーズに進むようサポートする仕事等、種々の部門が存在する製造業と、店の立地や出退店を考える仕事、商品を仕入れる仕事、オリジナル商品を開発する仕事、商品を各店舗に届ける仕事、顧客に商品を売る仕事、業務がスムーズに進むようサポートする仕事等、種々の部門が存在する小売業とが例示されている。１９ページの下段には、職種研究を行った後、就活生に企業研究をするように勧める企業研究教示欄Ｄ１５が形成されている。また、１９ページの反綴じ元Ａ１５側に施されたタググループＴ１０のうち第３、第４のタグＴ３、Ｔ４は、他のタグＴ１、Ｔ２…と色を異ならせて表示されている。
【００２９】
前記業界研究用ページ（２０〜２５ページ）は、種々の業界を研究するための書き込み可能なもので、この就活戦略ノートＮを見開き状態にした際に左側にくる偶数ページと、この偶数ページに綴じ元Ａ１７部分を介して右側に隣接する奇数ページとの２ページで１セットとなったものが、全部で３セット設けられている。以下、業界研究用ページの最初の１セット（２０、２１ページ）について説明するが、他の２セット（２２、２３ページ、２４、２５ページ）については最初の１セットと同様であるため説明を省略する。２０ページには、図１２に示すように、上部に「業界研究」というタイトルＤ１７と業界研究に関する簡単な説明Ｄ１９が記載されているとともに、上下方向に並んだ質問項目Ｄ２１と、この質問項目Ｄ２１に対応して右側にそれぞれ記載された記入例Ｄ２３と、この記入例Ｄ２３の右側に就活生が実際に書き込むことができる１業界分の業界研究結果記入部分Ｄ２５とを備えた表形式の業界研究欄Ｄ２７が形成されている。この業界研究欄Ｄ２７には、一例として「この業界を選んだ理由は？」を記入する部分が形成されており、前記自己分析用ページ（６〜１３ページ）やまとめ用ページ（１６、１７、８０ページ）で行った自己分析をもとにして、就職活動で必要となる志望動機へとつなげていくのに重要な役割を担う。２１ページには、図１２に示すように、２０ページの業界研究結果記入部分Ｄ２５に対応した２社分の業界研究結果記入部分Ｄ２５を備えた表形式の業界研究欄Ｄ２７が形成されている。すなわち、見開き２ページで３つの業界の研究結果を一覧することができ、ノートＮ全体で最大９つの業界の研究結果をまとめることができる。なお、本実施形態の業界研究用ページ（２０〜２５ページ）のページ数及び９業界分という分量は、就活生になるべく視野を広げてもらうのに適切な量に設定してある。また、２１ページの反綴じ元Ａ１５側に施されたタググループＴ１０のうち第３のタグＴ３は、他のタグＴ１、Ｔ２…と色を異ならせて表示されている。
【００３０】
前記企業研究用ページ（２６〜６５ページ）は、種々の企業を研究するための書き込み可能なもので、１企業あたり１ページを使用してまとめることができるようになっている。以下、企業研究用ページの最初の１ページ（２６ページ）について説明するが、他のページ（２７〜６５ページ）については最初の１ページと同様であるため説明を省略する。２６ページには、図１３に示すように、上部に「企業研究」というタイトルＤ２９と、社名を記入する枠Ｄ３１が記載されているとともに、「企業の基本情報、求められる人材像」を研究するための第１の企業研究欄Ｄ３３と、「働く現場について」研究するための第２の企業研究欄Ｄ３５と、「条件面」の研究をするための第３の企業研究欄Ｄ３７と、「応募後の活動のスケジューリング用に確認する」ための第４の企業研究欄Ｄ３９とが上から順に設けられている。各企業研究欄Ｄ３３、Ｄ３５、Ｄ３７、Ｄ３９には、どのような情報ソースを用いて研究を行ったらよいかを教示する情報ソース例示部分Ｄ４１と、前記情報ソースを用いてどのようなポイントを研究したらよいかを示す質問項目Ｄ４３と、この質問項目Ｄ４３の右側に就活生が実際に書き込むことができる企業研究結果記入部分Ｄ４５とがそれぞれ設けられている。このように１ページで１つの企業の研究結果を一覧することができ、ノートＮ全体で最大４０社の企業の研究結果をまとめることができる。なお、本実施形態の企業研究用ページ（２６〜６５ページ）のページ数及び４０社分という分量は、近時の就活生が説明会に参加する平均的な会社数である３０社よりも多くしており、就活生の要望にかなう量に設定してある。また、２７ページの反綴じ元Ａ１５側に施されたタググループＴ１０のうち第４のタグＴ４は、他のタグＴ１、Ｔ２…と色を異ならせて表示されている。
【００３１】
前記第３領域Ｅ１は、前記業界研究及び前記企業研究に基づいて選びだした志望企業を明示するための欄Ｅ９と、その志望企業で必要とされるのはどのような人材かを勘案しつつ自己のアピールポイントを記載する欄Ｅ１１とを備えたアピールポイントまとめ用ページ（図３における６６〜７１ページ）を備えたものである。
【００３２】
前記アピールポイントまとめ用ページ（６６〜７１ページ）は、志望企業とアピールポイントとをまとめるための書き込み可能なもので、この就活戦略ノートＮを見開き状態にした際に左側にくる偶数ページと、この偶数ページに綴じ元Ａ１７部分を介して右側に隣接する奇数ページとの２ページで１セットとなったものが、全部で３セット設けられている。以下、アピールポイントまとめ用ページの最初の１セット（６６、６７ページ）について説明するが、他の２セット（６８、６９ページ、７０、７１ページ）については最初の１セットと同様であるため説明を省略する。６６ページには、図１４に示すように、上部に「志望企業・アピールポイントまとめ」というタイトルＥ３と志望企業に対するアピールポイントのまとめ方に関する簡単な説明Ｅ５が記載されているとともに、上下方向に並んだ質問項目Ｅ７と、この質問項目Ｅ７の右側に就活生が実際に書き込むことができる志望業界及び志望企業を明示するための欄Ｅ９と、その志望企業で必要とされるのはどのような人材かを勘案しつつ自己のアピールポイントを記載する欄Ｅ１１とが左右方向に２社分形成されている。この自己のアピールポイントを記載する欄Ｅ１１には、「志望動機（業界）  なぜ、他でなくこの業界か？」を記入する志望動機（業界）記入箇所Ｅ１３と、「志望動機（企業）  なぜ、他でなくこの企業か？」を記入する志望動機（企業）記入箇所Ｅ１５と、「この企業で求められる人材像は？」を記入する人材像記入箇所Ｅ１７と、「他の志望者でなく、「自分」を採用することが良いと言える差別化ポイントは何？」かを記入する独自のアピールポイント記入箇所Ｅ１９と、「「自分」が必要とされるために、これからすべきこと」を具体的に記入する対策記入箇所Ｅ２１と、「すべきことを具体化するためのスケジュール」を記入するスケジュール記入箇所Ｅ２３とが設けられている。６７ページには、６６ページの各欄Ｅ９、Ｅ１１に対応した３社分の志望業界及び志望企業を明示するための欄Ｅ９、及び自己のアピールポイントを記載する欄Ｅ１１が形成されている。すなわち、見開き２ページで５つの志望企業に対する自己のアピールポイントのまとめを一覧することができ、ノート全体で最大１５の志望企業に対する自己のアピールポイントをまとめることができる。また、６７ページの反綴じ元Ａ１５側に施されたタググループＴ１０のうち第５のタグＴ５は、他のタグＴ１、Ｔ２…と色を異ならせて表示されている。
【００３３】
前記第４領域Ｆ１は、前記自己分析、前記他己分析、前記業界研究、及び前記企業研究を含む複数の就職活動項目をどの時期に行うのかを記入するための時系列形式のスケジュール表を印刷したページ（図３における７２、７３ページ）と、「エントリー先  ＩＤ・パスワード控え」を書き留めることができるページ（図３における７４〜７７ページ）を備えたものである。
【００３４】
前記ページ（７２、７３ページ）は、就活生が就職活動のスケジュールを長期的な視点でまとめて一覧表示するためのもので、７２ページには、上部に「戦略スケジュール」というタイトルとこのスケジュール表の使い方に対する簡単な説明が記載されているとともに、上下方向に並んだスケジュール項目と、この質問項目の右側に就活生が各質問項目に対応させて１月〜１２月までの１年分のスケジュールを実際に書き込むことができるスケジュール欄が形成されている。スケジュール欄には、本実施形態の就活戦略ノートＮを用いて「自己分析」を行う予定を記入する箇所と、当該就活戦略ノートＮを用いて他己分析用ページ（８１〜９６ページ）を配布及び回収する予定等「他己分析」に関する予定を記入する箇所と、当該就活戦略ノートＮを用いて「業界研究」を行う予定を記入する箇所と、当該就活戦略ノートＮを用いて「企業研究」を行う予定を記入する箇所と、「ＯＢ・ＯＧ訪問」を行う予定を記入する箇所と、各企業に「エントリー」を行う予定を記入する箇所と、各企業の「説明会」の予定を記入する箇所と、その他インターンシップへの参加や資格取得等の予定を自由に記入することのできる箇所とが設けられている。７３ページには、７２ページのスケジュール欄に対応した１月〜１２月までの１年分のスケジュールを記入できるスケジュール欄が形成されている。すなわち、見開き２ページで２年分の就職活動に関するスケジュールを一覧することができる。また、７３ページの反綴じ元Ａ１５側に施されたタググループＴ１０のうち第６のタグは、他のタグＴ１、Ｔ２…と色を異ならせて表示されている。
【００３５】
前記ページ（７４〜７７ページ）は、就活生がエントリーした企業ごとに設定したＩＤとパスワードをまとめて管理しておくための書き込み可能なものである。以下、前記ページの最初の１ページ（７４ページ）について説明するが、他のページ（７５〜７７ページ）については最初の１ページと同様であるため説明を省略する。７４ページには、上部に「エントリー先  ＩＤ・パスワード控え」というタイトルが記載されているとともに、最上段に左右一列に記載された「社名」、「ＩＤ」、「パスワード」、及びエントリー等の締切日や選考日等を記入できる「備考」と記載された項目と、この項目の下側に就活生が実際に書き込むことができる記入部分とを備えた控え用の欄が形成されている。この控え用の欄は、１ページあたり上下方向に最大３０企業について記入することができるようになっている。すなわち、見開き２ページで６０企業についてのＩＤやパスワード等の情報を一覧することができ、ノート全体で最大１２０の企業のＩＤやパスワード等の情報をまとめることができる。また、７５ページの反綴じ元Ａ１５側に施されたタググループＴ１０のうち第７のタグは、他のタグＴ１、Ｔ２…と色を異ならせて表示されている。
【００３６】
前記その他の領域Ｇ１は、スマートフォン付属のカメラなどを利用して撮影した画像、例えば、スマートフォンによって撮影されたノート紙面画像等を適正化するための印Ｍ１と、前記撮影によりデジタル化したい外部資料を適切な位置に載置できるようにするための案内枠Ｇ３、Ｇ５とが印刷されたスキャン用ページ（図３における７８、７９ページ）を備えている。図１５に示すように、７８ページには、上部に「スマートフォンでの活用方法  〜専用アプリ＜ＣａｍｉＡｐｐ＞の使い方〜」というタイトルＧ７が記載されており、７８ページから７９ページにわたる領域には、前記綴じ元Ａ１７側に中心を合わせたＡ４サイズ用の前記案内枠Ｇ３と、このＡ４サイズ用の案内枠Ｇ３の中に配されたＢ５サイズ用の前記案内枠Ｇ５と、このＢ５サイズ用の案内枠Ｇ５の中に配され当該スキャン用ページ（７８、７９ページ）の使い方に関して図を用いて簡潔に説明された説明欄Ｇ９とが形成されている。また、７８ページ、７９ページの反綴じ元Ａ１５側の上縁部及び下縁部には、それぞれカメラによるスキャニング、具体的には、前記ノート紙面画像等を適正化するための印Ｍ１が施されている。詳述すれば、前記印Ｍ１は、「スキャンマーク」と呼ばれるもので、スマートフォン等の情報処理端末がカメラを介して撮影した画像の傾き及び／または歪みを補正するための基準であり、４ヶ所に配されている。これら４つの印Ｍ１（基準）の相互の位置関係、各印Ｍ１と前記案内枠Ｇ３、Ｇ５の輪郭との位置関係、及び各印Ｍ１と後述するマーク欄Ｍ７との位置関係はそれぞれ、一意に定められている。７９ページには、反綴じ元Ａ１５側の上縁部に設けられた前記印Ｍ１に隣接する「アクションマーカー」と呼ばれるマーク欄Ｍ７が形成されている。このマーク欄Ｍ７にマークされた値は、カメラによるスキャニングを行って得られた撮影画像を、スマートフォンにおいてどのように処理するべきかを指し示すものであり、例えば、「値が１であれば、撮影画像に特定のメタ情報（タグ）を付した上でスマートフォン内に保存する」、「値が２であれば、撮影画像を所定の宛先アドレスに電子メールの形で送信する」、「値が３であれば、撮影画像を所定のウェブサーバにアップロードする」…等の態様が挙げられる。スマートフォン上でアプリケーションソフトウェアを起動し、前記マーク欄Ｍ７の値が記入された取込対象物をカメラを介して撮影すると、スマートフォンが撮影画像の中に含まれるマーク欄Ｍ７の値を読み取り、その値に対応した処理を遂行する。また、７９ページの反綴じ元Ａ１５側に施されたタググループＴ１０のうち第８のタグＴ８は、他のタグＴ１、Ｔ２…と色を異ならせて表示されている。
【００３７】
なお、前記第１領域Ｃ１、前記第２領域Ｄ１、前記第３領域Ｅ１及び前記第４領域Ｆ１の各ページの一部、具体的には、就活生が記入する欄を備えたページ（６〜１３ページ、１６、１７ページ、２０〜７７ページ、８０ページ）には、その反綴じ元Ａ１５側のみ、または、反綴じ元Ａ１５側と綴じ元Ａ１７側に、カメラによるスキャニング、具体的には、前記ノート紙面画像等を適正化するための印Ｍ１が施されているとともに、各ページに施された印Ｍ１の一つに隣接するマーク欄Ｍ７が形成されている。これらの印Ｍ１及びマーク欄Ｍ７は、前記その他の領域Ｇ１で説明した印Ｍ１及びマーク欄Ｍ７と同一またはこれに準ずるものであるため、前記印Ｍ１及びマーク欄Ｍ７と同一の符号を付して具体的な説明を省略する。
【００３８】
以上に述べたように、本実施形態に係る就活戦略ノートＮは、自己を知るために用いられる第１領域Ｃ１と、この第１領域Ｃ１に並設され業界及び企業を知るために用いられる第２領域Ｄ１と、これら第１、第２領域Ｃ１、Ｄ１のコンテンツを利用して抽出された情報に基づいて志望企業に対する自己のアピールポイントをまとめるために用いられる第３領域Ｅ１とを具備してなるので、就職活動を始めたばかりの就活生にとって、どのような情報を集めたらよいか、それらの情報をどのように用いたらよいかを知ることができ、就職活動を円滑に進めるのに役立てることができる。特に、本実施形態の就活戦略ノートＮは、第１〜第３領域Ｃ１、Ｄ１、Ｅ１を備えた無線とじ方式のものであるので、就職活動に必要な情報をバラバラにしてしまうことなく１冊に集約させることができるとともに、これら集約された情報を用いて志望企業に対する自己のアピールポイントを適切に引き出して分析した前記アピールポイントも一緒にまとめておくことができる。特に、この就活戦略ノートＮは、閉じられた状態でＢ５サイズよりやや小さいセミＢ５サイズであるため、充実したコンテンツを盛り込んだものであるにもかかわらず、手帳感覚で使用することができるとともに、カバン等の中にコンパクトに収納して簡単に持ち運ぶことができる。
【００３９】
前記第１領域Ｃ１が、自己の強みを顕在化させるための自己分析用ページ（６〜１３ページ）と、この自己分析用ページ（６〜１３ページ）を用いて抽出される情報に関連させて第三者から自己に対する客観的な評価を受けるための切り離し可能な他己分析用ページ（８１〜９６ページ）と、この他己分析用ページ（８１〜９６ページ）及び前記自己分析用ページ（６〜１３ページ）を用いて得られた結果を整理するためのまとめ用ページ（１６、１７、８０ページ）とを備えたものであるので、このノートＮに沿って自己分析を進めていけば、あらゆる角度から自己分析を行うことができる。特に、本実施形態の他己分析用ページ（８１〜９６ページ）は、従来のものとは異なり、前記説明欄Ｃ１５やお礼文表示欄Ｃ３７が予め記載されているので、当該他己分析を行う趣旨説明文やお礼文を別途考える必要なしに、就活生が気軽に他己分析を第三者に頼むことができるようになっている。また、本実施形態の他己分析用ページ（８１〜９６ページ）は、従来のものとは異なり、前記印象記載欄Ｃ２１に具体例Ｃ２３が設けられていたり、長所記載欄Ｃ２５及び短所記載欄Ｃ３１に就活生が自身が考える長所や短所を書き込む自己記入部分Ｃ２７、Ｃ３３が設けられていたりするので、他己分析を頼まれた第三者がこれら具体例Ｃ２３や自己記入部分Ｃ２７、Ｃ３３を参照して就活生の評価を記入しやすくなっている。すなわち、この他己分析用ページ（８１〜９６ページ）は、他己分析をお願いする就活生にとっても、他己分析をお願いされた第三者にとっても非常に使いやすいものとなっている。このようなものであるので、学生同士のやりとりだけでは得られない社会人としての先輩からの客観的な評価や意見も取り入れることができ、有意義な就職活動につなげることが可能な自己アピールポイントをみつける一助とすることができる。
【００４０】
前記第２領域Ｅ１が、業界及び企業を知るための研究テーマとして業界研究、職種研究及び企業研究を提示する研究テーマ教示用ページ（１８、１９ページ）と、就きたい業界を具体的にイメージできるようにするための業界研究用ページ（２０〜２５ページ）と、この業界研究用ページ（２０〜２５ページ）に関連して選び出した企業における現実の働き方を理解するための企業研究用ページ（２６〜６５ページ）とを備えたものであるので、このノートＮに沿って業界研究及び企業研究を進めていけば、イメージだけが先行して志望業界や志望企業を決めてしまうことなく、あらゆる分野の業界や企業を研究できる。この研究結果は、業界研究欄Ｄ２７の業界研究結果記入部分Ｄ２５や第１〜第４の企業研究欄Ｄ３３〜Ｄ３９の企業研究結果記入部分Ｄ４５で、複数の業界または複数の企業を一覧することができるようになっているので、業界間または企業間で種々の項目を容易に比較検討することができる。そのため、就活生にとって最適な企業をみつける一助となり得る。
【００４１】
前記第３領域Ｅ１が、前記業界研究及び前記企業研究に基づいて選びだした志望企業を明示するための欄Ｅ９と、その志望企業で必要とされるのはどのような人材かを勘案しつつ自己のアピールポイントを記載する欄Ｅ１１とを備えたアピールポイントまとめ用ページ（６６〜７１ページ）を備えたものであるので、種々の志望企業ごとにアピールポイントを適切に引き出すことができる。
【００４２】
前記第１領域Ｃ１、前記第２領域Ｄ１及び前記第３領域Ｅ１に加え、就職活動全体を俯瞰した戦略スケジュールを立てるために用いられる第４領域Ｆ１を備えており、前記第４領域Ｆ１が、前記自己分析、前記他己分析、前記業界研究、及び前記企業研究を含む複数の就職活動項目をどの時期に行うのかを記入するための時系列形式のスケジュール表を印刷したページ（７２、７３ページ）を備えたものであるので、当該ノートＮを用いてスケジュール管理を行うことができる。また、このスケジュール表は見開き２ページにわたって２年分のスケジュールを記入可能であるので、就職活動全体を俯瞰することができる。
【００４３】
前記第１領域Ｃ１、前記第２領域Ｄ１、前記第３領域Ｅ１及び前記第４領域Ｆ１が、それぞれ複数枚のページにより構成されたものであり、前記ページの一部に前記ノート紙面画像等を適正化するための印Ｍ１が施されているものであるので、各領域Ｃ１、Ｄ１、Ｅ１、Ｆ１に書き込まれた内容を印Ｍ１を用いたスキャニングを行うことによってデータとして一括管理することができる。そのため、当該ノートＮを持ち運んでいない状態でもこのノートＮに書き込んだ情報をスマートフォン上で閲覧することができる。特に、マーク欄Ｍ７を用いてタグ付けを行えば、就職活動で必要な種々の情報を簡単に管理することができる。
【００４４】
また、前記第１領域Ｃ１、前記第２領域Ｄ１、前記第３領域Ｅ１及び前記第４領域Ｆ１を構成するページに加え、前記ノート紙面画像等を適正化するための印Ｍ１と、前記撮影によりデジタル化したい外部資料を適切な位置に載置できるようにするための案内枠Ｇ３、Ｇ５とが少なくとも印刷されたスキャン用ページ（７８、７９ページ）を備えているので、一旦切り離した後回収した他己分析用ページ（８１〜９６ページ）をデータとして保存することができたり、履歴書やエントリーシート、または、インターネット上や企業説明会等で得られた資料をデータとして保存することができたりする等、当該印Ｍ１を用いたスキャニングを行うことによって就職活動にかかわる外部資料を一括管理することができる。
【００４５】
なお、本発明は以上に述べた実施形態に限られない。
【００４６】
例えば、前記第１領域、前記第２領域、前記第３領域、前記第４領域、前記その他の領域は、それぞれ少なくとも１ページ以上により構成されたものであればどのようなものであってもよく、各領域は、連続する複数ページにわたって形成されるものや、非連続の複数ページに形成されるものであってもよい。
また、カメラによるスキャニングを適正化するための印は、上述したものに限られず種々変更可能である。また、この印は、一部のページのみに設けられているものに限られず、全部のページに設けられていてもよい。
【００４７】
この就活戦略ノートは、就職活動や社会経験のない学生のみならず、転職活動を行う社会人にも好適に用いることができる。しかしながら、仕事をした経験のない学生は社会人に比べて、自己分析や業界研究等を含めた就職活動をどのようにすすめたらよいかについて迷うことが多いため、本発明のノートによって就職活動の方針が教示されるのは非常に有益なことであるといえる。
【００４８】
その他、本発明の趣旨を損ねない範囲で種々に変更してよい。
【符号の説明】
【００４９】
Ｎ…就活戦略ノート
Ｃ１…第１領域
Ｄ１…第２領域
Ｅ１…第３領域
Ｅ９…（志望企業を明示するための）欄
Ｅ１１…（自己のアピールポイントを記載する）欄
Ｆ１…第４領域
Ｇ３、Ｇ５…案内枠
Ｍ１…印
【図１】
2014151489.tif 000003
【図２】
2014151489.tif 000004
【図３】
2014151489.tif 000005
【図４】
2014151489.tif 000006
【図５】
2014151489.tif 000007
【図６】
2014151489.tif 000008
【図７】
2014151489.tif 000009
【図８】
2014151489.tif 000010
【図９】
2014151489.tif 000011
【図１０】
2014151489.tif 000012
【図１１】
2014151489.tif 000013
【図１２】
2014151489.tif 000014
【図１３】
2014151489.tif 000015
【図１４】
2014151489.tif 000016
【図１５】
2014151489.tif 000017